(57)【特許請求の範囲】
【請求項１】
折りたたみ形態と拡張形態とを有する折りたたみ可能なシェルターであって、
キャノピーと、
このキャノピーを支持する複数の脚と、
前記複数の脚に連結されたリンク部材の複数の周囲トラス対を含む周囲トラスリンク組立体と、
リンク部材の少なくとも２つの中央トラス対と、を有し、これらの中央トラス対の各々は前記周囲トラス対のうちの１つの内端に連結され、
更に、拡張形態において前記キャノピーを前記脚よりも上に支持する少なくとも１つの鉛直方向内側中央支持部材を有し、前記中央トラス対のリンク部材の各々の内端が、前記鉛直方向内側中央支持部材に回動可能に連結され、
更に、前記周囲トラスリンク組立体に連結され且つ拡張形態のおいて前記キャノピーを前記脚よりも上に支持する少なくとも２つの鉛直方向周囲中央支持部材を有する、折りたたみ可能なシェルター。
【請求項２】
前記複数の脚は、入れ子式に伸縮する上部分及び下部分を有する、請求項１に記載の折りたたみ可能なシェルター。
【請求項３】
前記複数の脚は、その各々に摺動可能に取付けられたスライダー部材を有する、請求項１に記載の折りたたみ可能なシェルター。
【請求項４】
前記スライダー部材は前記上部分に取付けられる、請求項３に記載の折りたたみ可能なシェルター。
【請求項５】
リンク部材の前記中央トラス対は、互いにはさみ形態に回動可能に連結された第１リンク部材及び第２リンク部材を有し、
前記少なくとも１つの鉛直方向内側中央支持部材は、上側入れ子式伸縮部分と下側入れ子式伸縮部分とを有し、
前記上側入れ子式伸縮部分は、前記キャノピーを支持するための上端を有し、
前記中央トラス対の第２リンク部材の各々の内端は、前記鉛直方向内側中央支持部材の上側入れ子式伸縮部分に回動可能に連結され、
前記中央トラス対の第１リンク部材の各々の内端は、前記鉛直方向内側中央支持部材の下側入れ子式伸縮部分に回動可能に連結される、請求項１に記載の折りたたみ可能なシェルター。
【請求項６】
前記下側入れ子式伸縮部分は、前記折りたたみ可能なシェルターが前記拡張形態にあるときに、前記下側入れ子式伸縮部分が前記上側入れ子式伸縮部分を支持し且つ前記上側入れ子式伸縮部分の上端を前記脚の上端よりも上に上げるように前記上側入れ子式伸縮部分を支持するための内部係止部材を有する、請求項５に記載の折りたたみ可能なシェルター。
【請求項７】
リンク部材の前記周囲トラス対は、互いにはさみ形態に回動可能に連結された第１リンク部材及び第２リンク部材を有し、
前記鉛直方向周囲中央支持部材の各々は、上側入れ子式伸縮部分と下側入れ子式伸縮部分とを有し、
前記上側入れ子式伸縮部分は、前記キャノピーを支持するための上端を有し、
前記周囲トラス対の第１リンク部材の各々の内端は、前記鉛直方向周囲中央支持部材の上側入れ子式伸縮部分に回動可能に連結され、
前記中央トラス対の第２リンク部材の各々の内端は、前記周囲中央支持部材の下側入れ子式伸縮部分に回動可能に連結されている、請求項１に記載の折りたたみ可能なシェルター。
【請求項８】
前記下側入れ子式伸縮部分は、前記折りたたみ可能なシェルターが前記拡張形態にあるときに、前記下側入れ子式伸縮部分が前記上側入れ子式伸縮部分を支持し且つ前記上側入れ子式伸縮部分の上端を前記脚の上端よりも上に上げるように前記上側入れ子式伸縮部分を支持するための内部係止部材を有している、請求項７に記載の折りたたみ可能なシェルター。
【発明の詳細な説明】
【０００１】
(発明の背景)
(発明の分野)
本発明は、全体的には、折りたたみ可能な構造体に関し、更に詳細には、直立した覆い又はキャノピー(canopy)を有する折りたたみ可能な野外シェルター構造体に関する。
【０００２】
(関連技術の説明)
非常時の現場に容易に搬送され且つ迅速に設置することができる仮シェルターは、一時的な世話及び避難所を与えるのに特に有用である。そのようなシェルターは、一時的な軍の駐屯又は野外研究旅行等のような非常時でない屋外の集会にも有用である。Ｘ形リンクのフレームと、入れ子式に伸縮する脚と、フレームを覆うキャノピーとを有している１つのそのような迅速に直立可能で折りたたみ可能なシェルターは、収容長さの約２倍まで入れ子式に伸縮可能である脚を有しており、Ｘ形トラス対のフレームは、キャノピーを支持するために、脚の間に水平方向に延びることが可能である。フレームは軽量材料で構成されており、入れ子式に伸縮する脚を延ばして、シェルターのフレームを上げるようになっている。しかしながら、キャノピーの高さは、脚の延長長さに制限され、且つ、キャノピーは、本質的には、平らであり、それにより、降水及び堆積物をキャノピーの上面に集めたままにし、このことは、キャノピーの漏れを助長し、キャノピーを裂くことがある。
【０００３】
支持用脚よりも上に上がるキャノピー用支持フレームを備えている改良された折りたたみ可能なシェルターを提供すること、構造体内により高い上部空間(headroom)を備えていること、及び、キャノピーの十分な高さを達成するのに要求される脚及びフレームの寸法及び重量の軽減を見込むこと、が望まれている。降水及び堆積物をシェルターの上面から落すように切妻(gable)にされたキャノピー構造体を提供することも望まれている。更に、より大きな強度及び安定性を備えているシェルターフレームを提供すること、及び、より大きく且つより軽量の折りたたみ可能なシェルター構造体の支持を可能にすることが望まれている。本発明は、これらの要望を満たしている。
【０００４】
(発明の概要)
簡単且つ概略的にいえば、本発明は、上部空間、強度及び安定性の増大をもたらす切妻式又はゲーブル式(gable)のシェルターキャノピーを上に上げる改良トラスフレームを備えている折りたたみ可能なシェルターを提供する。
【０００５】
従って、本発明は、折りたたみ形態と拡張形態とを有し、拡張形態で、脚組立体の上レベルよりも上に上げることができるキャノピーを備えている折りたたみ可能なシェルターを提供する。キャノピーは４つ又はそれよりも多い側部及びコーナーを有しており、脚組立体も、キャノピーを支持する４つまたはそれよりも多い脚を有している。リンク部材の複数の周囲トラス対を含む周囲トラスリンク組立体が、脚組立体に連結されている。現在の好ましい実施形態では、周囲トラス対の各々は、互いにはさみ形態に回動可能に連結された第１リンク部材及び第２リンク部材を含んでおり、各第１リンク部材の外端は、１つの脚の上端に連結され、各第２リンクの外端は、この脚に摺動可能に連結されている。リンク部材の２つまたはそれよりも多い中央トラス対が設けられ、中央トラス対の各々は、１つの側部の１つの周囲トラス対の内端に連結されている。中央トラス対の各々は、好ましくは、互いにはさみ形態に回動可能に連結された第１リンク部材及び第２リンク部材を含んでいる。又、キャノピーを脚組立体の上レベルよりも上に支持するための少なくとも３つの鉛直方向中央支持部材が設けられ、これらの鉛直方向中央支持部材は、少なくとも１つの鉛直方向内側中央支持部材と、少なくとも２つの周囲中央支持部材とを含んでいる。中央トラス対の第１リンク及び第２リンクの各々の内端は、内側中央支持部材に回動可能に連結され、同様に、シェルターの上記１つの側部の上記１つの周囲トラス対の第１リンク及び第２リンクの各々の内端は、各周囲中央支持部材に回動可能に連結されている。現在の好ましい実施形態では、内側中央支持部材は、上側入れ子式伸縮部分と下側入れ子式伸縮部分とを有し、上側入れ子式伸縮部分は、キャノピーを支持するための上端を有している。内側中央トラス対の第１リンクの各々の内端は、中央支持部材の上側入れ子式伸縮部分に回動可能に連結され、中央トラス対の第２リンクの各々の内端は、中央支持部材の下側入れ子式伸縮部分に回動可能に連結されている。同様に、周囲中央支持部材の各々は、上側入れ子式伸縮部分と下側入れ子式伸縮部分とを有し、上側入れ子式伸縮部分は、キャノピーを支持するための上端を有しており、周囲トラス対の第１リンクの各々の内端は、周囲中央支持部材の上側入れ子式伸縮部分に回動可能に連結され、中央トラス対の第２リンクの各々の内端は、周囲支持部材の下側入れ子式伸縮部分に回動可能に連結されている。本発明の好ましい側面では、内側中央支持部材及び周囲中央支持部材の各々の下側入れ子式伸縮部分は、シェルターが拡張形態にあるときに、下側入れ子式伸縮部分が上側入れ子式伸縮部分を支持し且つ上側入れ子式伸縮部分の上端を脚組立体の上端よりも上に上げるように中央支持部材の上側入れ子式伸縮部分を支持するための内部係止部材を有するのが有利である。
【０００６】
本発明のこれらの及びその他の側面及び利点は、本発明の特徴を例示する、以下の詳細な説明及び添付図面から明らかになろう。
【０００７】
(好ましい実施形態の詳細な説明)
以前の折りたたみ可能なシェルターの寸法及び利用できる上部空間は、一般的には、構造体の脚の延長長さによって制限され、本質的には、ポケットに降水を集めさせ又はシェルターの上面に水溜まりを集めさせる、ろく屋根構造体をなしていた。本発明の折りたたみ可能なシェルターは、シェルターの強度及び安定性をも向上させた大きく且つ上に上げられたゲーブル式屋根を備えている、より大きく且つより軽量な折りたたみ可能なシェルター構造体を提供する。
【０００８】
限定としてではなく例示として供している図面に示すように、本発明は、例えば図１に示す拡張形態及び図２及び３に示す折りたたみ形態を有する改良された折りたたみ可能なシェルター１０に具体化されている。改良された折りたたみ可能なシェルター１０は、少なくとも４つの側部１４及び４つのコーナー１６を有するキャノピー１２を含んでいる。図面に示した折りたたみ可能なシェルターはほぼ正方形であるけれども、明らかになるように、シェルターは矩形であっても良いし、台形であっても良いし、六角形であっても良いし、八角形等であっても良い。
【０００９】
折りたたみ可能なシェルターは、キャノピーを支持する少なくとも４つの脚２０を有する脚組立体１８を含んでおり、現在の好ましい実施形態では、脚は入れ子式に伸縮し、上端２３を有する上部分２２と、地面との係合用の足部２６を有する下部分２４とを含んでいる。本発明の好ましい側面では、スライダー部材２８が脚の各々に摺動可能に取付けられ、好ましくは、脚の上部分に取付けられている。
【００１０】
折りたたみ可能なシェルターは又、脚組立体に連結されたリンク部材３２の複数の周囲トラス対を有している周囲トラスリンク組立体３０を含んでおり、周囲トラス対の各々は、互いにはさみ形態に回動可能に連結された第１リンク部材３４と第２リンク部材３６とを含んでいる。第１リンク部材及び第２リンク部材は内端３８及び外端４０を有しており、第１リンク部材の各々の外端は、脚の１つの上端に連結され、各第２リンク部材の外端は、この第２リンク部材をこの脚に摺動可能に連結するスライダー部材に連結されている。第１リンク部材の内端同士及び第２リンク部材の内端同士は、好ましくはボルト３９及びスペーサ４１によって、シェルターフレームの両側で互いに回動可能に連結されている。リンク部材４２の少なくとも２つの中央トラス対が設けられ、リンク部材の中央トラス対の各々は、ブラケット４３及びボルト４５によって１つの側部の１つの周囲トラス対の内端に連結されている。中央トラス対の各々は、好ましくは、互いにはさみ形態に回動可能に連結された第１リンク部材４４及び第２リンク部材４６とを含んでいる。中央トラス対の第１リンク部材は、周囲トラス対の第２リンク部材の内端に連結されている外端４８を有し、中央トラス対の第２リンク部材は、周囲トラス対の第１リンク部材の内端に連結されている外端５０を有している。
【００１１】
本発明の好ましい側面では、折りたたみ可能なシェルターは、キャノピーを支持する少なくとも１つの鉛直方向内側中央支持部材５２を含んでいる。中央トラス対の第１リンク及び第２リンクの各々の内端は、好ましくは保護部材５７によって覆われたブラケット５３及びボルト５５によって内側中央支持部材に回動可能に連結されている。本発明の現在の好ましい側面では、内側中央支持部材は、上側入れ子式伸縮部分５４と下側入れ子式伸縮部分５６とを有しており、上側入れ子式伸縮部分は、キャノピーを支持するための上端５８を有している。中央トラス対の第２リンク部材の各々の内端は、中央支持部材の上側入れ子式伸縮部分に回動可能に連結され、中央トラス対の第１リンク部材の各々の内端は、中央支持部材の下側入れ子式伸縮部分に回動可能に連結されている。上側入れ子式伸縮部分は、好ましくは、中央支持部材の下側入れ子式伸縮部分内を摺動し、下側入れ子式伸縮部分は、図３及び６に示すように、シェルターが拡張形態にあるときに、下側入れ子式伸縮部分が上側入れ子式伸縮部分を支持し且つ上側入れ子式伸縮部分の上端を脚組立体の上端よりも上に上げるように上側入れ子式伸縮部分を支持するために、一般的には下側入れ子式伸縮部分の中央よりも上の下側入れ子式伸縮部分内に取付けられた内部係止部材６０を有しているのが有利である。
【００１２】
同様に、折りたたみシェルターは、好ましくは、キャノピーを支持するための少なくとも２つの鉛直方向周囲中央支持部材６２を有し、シェルターの上記１つの側部の上記周囲トラス対の１つの第１リンク及び第２リンクの各々の内端は、ブラケット６３及びボルト６５によって周囲中央支持部材に回動可能に連結されている。周囲中央支持部材の各々は、好ましくは、下側入れ子式伸縮部分６６内に摺動可能に配置されている上側入れ子式伸縮部分６４で形成されており、上側入れ子式伸縮部分は、キャノピーを支持するための上端６８を有している。周囲トラス対の第２リンク部材の各々の内端は、同様に、周囲中央支持部材の上側入れ子式伸縮部分に回動可能に連結され、周囲トラス対の第１リンク部材の各々の内端は、周囲支持部材の下側入れ子式伸縮部分に回動可能に連結されている。シェルターが拡張形態にあるときに、下側入れ子式伸縮部分が上側入れ子式伸縮部分を支持し且つ上側入れ子式伸縮部分の上端を脚組立体の上端よりも上に上げるように上側入れ子式伸縮部分を支持するために、図６に示すように、下側入れ子式伸縮部分は、内側中央支持部材と同様に配置された、図２で特定される内部係止部材７０を有している。
【００１３】
かくして、本発明が、シェルターの強度及び安定性をも向上させた大きく且つ隆起したゲーブル式屋根を備えた、より大きく且つより軽量の改良された折りたたみ可能なシェルターを提供することが明らかにされた。
【００１４】
本発明の特定の形態を図示し且つ説明したけれども、本発明の精神及び範囲から逸脱することなしに、種々の変更を行っても良いことが、前述のことから明らかになろう。従って、本発明は、特許請求の範囲以外によって限定されるものではない。
【図面の簡単な説明】
【図１】  本発明の直立可能で折りたたみ可能なシェルターの、拡張形態における斜視図である。
【図２】  図１の直立可能で折りたたみ可能なシェルターの、折りたたみ形態における概略正面図である。
【図３】  図１の直立可能で折りたたみ可能なシェルターの、折りたたみ形態における概略側面図である。
【図４】  図１の直立可能で折りたたみ可能なシェルターの、折りたたみ形態における図１の線４−４における平面断面図である。
【図５】  図１の直立可能で折りたたみ可能なシェルターの内側中央支持部材の、折りたたみ形態における図１の線４−４における部分底面断面図である。
【図６】  図１の直立可能で折りたたみ可能なシェルターの中央支持部材の下側入れ子式伸縮部分の部分断面図である。
【図１】
0004338312.tif 000002
【図２】
0004338312.tif 000003
【図３】
0004338312.tif 000004
【図４】
0004338312.tif 000005
【図５】
0004338312.tif 000006
【図６】
0004338312.tif 000007